(57)【特許請求の範囲】
【請求項１】
全周面にわたって環状溝が設けられ、厚み方向にアンテナを挿通させる挿通孔を有する全体がゴムによって形成されたアンテナ用グロメットにおいて、
全体を平面視において楕円形に形成し、前記挿通孔を一方の端部に設け、
側面視において前記環状溝が前記アンテナの枢軸を中心とした円弧と同じ曲率に形成され、全体が側面視において中心線を挟んで左右対称に形成されていることを特徴とするアンテナ用グロメット。
【請求項２】
請求項１記載のアンテナ用グロメットにおいて、
前記挿通孔の周縁に外側に向かって中心方向に傾斜する薄肉状でスカート状に形成したアンテナ密着部を設け、このアンテナ密着部の開口部をアンテナの径よりも小さく形成したことを特徴とするアンテナ用グロメット。
【発明の詳細な説明】
【技術分野】
【０００１】
本発明は、例えば、アンテナを備えた通信機器を覆うハウジングの孔からアンテナを外部に導出するためハウジングの孔に取り付けるアンテナ用グロメットに関するものである。
【背景技術】
【０００２】
従来のグロメットとしては、全周面にわたって環状溝が設けられ、中央部にワイヤーを挿通させる挿通孔を有する全体がゴムによって形成されたものがある（例えば、特許文献１参照）。
【特許文献１】特開２００５−６３５９号公報（段落「０００３」、図５）
【発明の開示】
【発明が解決しようとする課題】
【０００３】
上述した従来のグロメットは、平面視において円形に形成され、中央部に挿通孔が設けられた構造を採っている。この従来のグロメットの挿通孔にアンテナを挿通させて使用した場合、アンテナの指向方向（傾斜方向）を変えたいという要求があると、このグロメットだけでは対応できなくなる。すなわち、この場合、アンテナの指向方向に対応させてハウジングに２つの孔を設け、一方の孔に上述した従来のグロメットを取り付け、他方の孔には挿通孔が設けられていないグロメットを取り付ける必要がある。このため、２種類のグロメットが必要になるため製造コストが嵩むという問題があった。
【０００４】
本発明は上記した従来の問題に鑑みなされたものであり、その目的とするところは、アンテナの指向角度を変える必要がある場合に１種類のグロメットによって対応可能とするところにある。
【課題を解決するための手段】
【０００５】
この目的を達成するために、請求項１に係る発明は、全周面にわたって環状溝が設けられ、厚み方向にアンテナを挿通させる挿通孔を有する全体がゴムによって形成されたアンテナ用グロメットにおいて、全体を平面視において楕円形に形成し、前記挿通孔を一方の端部に設け、側面視において前記環状溝が前記アンテナの枢軸を中心とした円弧と同じ曲率に形成され、全体が側面視において中心線を挟んで左右対称に形成されているものである。
【０００６】
請求項２に係る発明は、請求項１に係る発明において、前記挿通孔の周縁に外側に向かって中心方向に傾斜する薄肉状でスカート状に形成したアンテナ密着部を設け、このアンテナ密着部の開口部をアンテナの径よりも小さく形成したものである。
【発明の効果】
【０００７】
請求項１に係る発明によれば、アンテナ用グロメットの取付方向を平面視において１８０°変えることにより、アンテナを挿通させる挿通孔の位置を変えることができる。したがって、２種類のアンテナの指向方向に対して１種類のグロメットによって対応が可能になるから製造コストが低減される。
【０００８】
請求項２に係る発明によれば、挿通孔にアンテナを挿通させる際に、アンテナ密着部が弾性変形することによって、挿通孔の周縁が破損したり折り返されたりするようなことがない。したがって、アンテナ密着部とアンテナの周面との間が密着するため防水性が損なわれるようなことがない。
【発明を実施するための最良の形態】
【０００９】
以下、本発明の実施の形態を図に基づいて説明する。図１は本発明に係るアンテナ用グロメットが取り付けられた防水用ハウジングの断面図、図２は同じく防水用ハウジングの外観を示す斜視図、図３は本発明に係るアンテナ用グロメットを底面側から見た斜視図、図４は同じくアンテナ用グロメットを示し、同図（Ａ）は背面図、同図（Ｂ）は平面図、同図（Ｃ）は側面図、同図（Ｄ）は底面図、同図（Ｅ）は正面図、図５は図４（Ｄ）におけるV-V 線断面図である。
【００１０】
図１に全体を符号１で示す通信機器の両側部には、アンテナ２（一方は図示せず）が設けられており、これらアンテナ２は枢軸２ａを回動中心として回動自在に取り付けられている。３は防水用ハウジングであって、通信機器１の背面側と上面側を覆う基台４と、この基台４の開口部を覆うカバー５とによって構成されている。
【００１１】
基台４は、上下方向に延在する背面板６と、この背面板６の上端部から略直交するように一体に突設された上面板７とによって形成されている。背面板６の上端には、背面板６の面方向に突設された壁掛け用取付片８が設けられており、この壁掛け用取付片８の両端部には、一対の達磨形のフック孔９，９が設けられている。
【００１２】
上面板７には先端側に向かって傾斜した傾斜部１０が設けられているとともに、周縁に下方に向かって突設された袴部１１が一体に設けられている。傾斜部１０の両端部には、一対の楕円形の取付孔１２，１２（一方の取付孔１２は図示を省略）が設けられている。上記した通信機器１は、両側部のアンテナ２が取付孔１２，１２を貫通し外部に露呈できるように、防水用ハウジング３の背面板６に取り付けられている。上記した傾斜部１０は、図１に示すように、側面視においてアンテナ２の枢軸２ａを中心とした円弧を描くような曲面を呈するように形成されている。
【００１３】
図３および図４に全体を符号１５で示すものは、本発明に係るアンテナ用グロメットであって、全周面にわたって環状溝１６が設けられ、この環状溝１６を挟んで、第１の鍔１７とこの第１の鍔１７よりも厚みが薄く形成された第２の鍔１８とが設けられている。このアンテナ用グロメット１５は、全体をゴムによって平面視において楕円形に形成されており、図４（Ｃ）に示すように、側面視において環状溝１６が上記した傾斜部１０と同じ曲率をもつような円弧状に形成されている。したがって、このアンテナ用グロメット１５は側面視において、中心線Ｃ−Ｃを挟んで左右対称となるように形成されている。
【００１４】
このアンテナ用グロメット１５の底面には凹部１９が設けられており、この凹部１９の中央に補強用のリブ２０が一体に設けられている。また、このアンテナ用グロメット１５の第１の鍔１７の平面視における一方の端部には、図４（Ｂ）に示すように、厚み方向にアンテナ２を挿通させる挿通孔２１が設けられている。この挿通孔２１の周縁には、図５に示すように外側に向かって中心方向に傾斜する薄肉状でスカート状に形成したアンテナ密着部２２が設けられており、このアンテナ密着部２２の開口部２２ａの内径Ｒ１はアンテナ２の外径Ｒ２よりも小さく形成されている。
【００１５】
このように構成されたアンテナ用グロメット１５は、第２の鍔１８を弾性変形させながら、環状溝１６内にハウジング３の取付孔１２の開口縁部を圧入することにより、アンテナ用グロメット１５が取付孔１２に取り付けられる。この場合、アンテナ用グロメット１５を、その挿通孔２１が図２中背面板６側（矢印Ａ方向）に位置するように取り付けることによって、図１に実線で示すように、アンテナ２の枢軸２ａと挿通孔２１とを結ぶ方向が鉛直方向となる。一方、アンテナ用グロメット１５を、その挿通孔２１が図２中矢印Ｂ方向に位置するように取り付けることによって、図１に二点鎖線で示すように、アンテナ２の枢軸２ａと挿通孔２１を結ぶ方向が、鉛直方向から反時計方向に角度αだけ傾斜した方向を指向する。
【００１６】
次に、このように構成されたアンテナ用グロメットを使って、アンテナの指向方向を選択する方法を説明する。先ず、通信機器１を、防水用ハウジング３の背面板６に取り付けた図示を省略したブラケットを介して電柱等に取り付ける場合について説明する。この場合は、通信機器１の周囲に電波の受信と発信の妨げになる障害物が存在しないため、アンテナ２を鉛直方向を指向するように立てる。
【００１７】
すなわち、通信機器１を電柱等に取り付ける以前に、アンテナ２をハウジング３の取付孔１２から突出させ、この突出させたアンテナ２にアンテナ用グロメット１５の挿通孔２１を挿通させる。この場合、挿通孔２１の周縁に外側に向かって中心方向に傾斜する薄肉でスカート状に形成され、アンテナ２の外径よりも小さい開口部２２ａを有するアンテナ密着部２２が設けられているため、このアンテナ密着部２２が挿通孔２１に挿通されるアンテナ２との間の摺接によって、アンテナ２の移動方向に弾性変形する。このため、挿通孔２１の周縁が破損したり、折り返されたりするようなことがないから、アンテナ密着部２２とアンテナ２の周面との間が密着するので、防水性が損なわれるようなことがない。また、通信機器１の両側部のアンテナ２が異なったアンテナで、外径が異なる場合も同様にアンテナ密着部２２の弾性変形により、アンテナ密着部２２とアンテナ２の周面との間が密着するので、防水性が損なわれるようなことがない。したがって、アンテナ２が異なる場合にも１種類のアンテナ用グロメット１５によって防水が図られる。
【００１８】
アンテナ２に挿通孔２１を挿通させたアンテナ用グロメット１５を、挿通孔２１が図１に実線で示すように、背面板６方向（矢印Ａ方向）に位置するように、ハウジング３の取付孔１２に取り付ける。この状態で、上述したようにアンテナ２の枢軸２ａと挿通孔２１とを結ぶ方向が鉛直方向を指向しているので、アンテナ用グロメット１５によってアンテナ２が鉛直方向を指向するように保持される。
【００１９】
次に、通信機器１を、背面板６の壁掛け用取付片８を介して建物の壁等に取り付ける場合を説明する。このような場合は、背面板６に対接する建物の壁、特に壁内部に鉄筋等の金属が含まれている場合には、金属により電波が影響され、アンテナ２が電波を受信したり発信する際に障害となるため、アンテナ２を建物の壁から離間させる。すなわち、通信機器１を建物の壁等に取り付ける以前に、上述した電柱等に取り付ける場合と同様に、アンテナ２にアンテナ用グロメット１５の挿通孔２１を挿通させる。
【００２０】
このようなときは、アンテナ用グロメット１５を、挿通孔２１が図１中二点鎖線で示すように矢印Ｂ方向に位置するようにして、前述した方法と同じ手順でハウジング３の取付孔１２に取り付ける。この状態で、上述したようにアンテナ２の枢軸２ａと挿通孔２１を結ぶ方向が鉛直方向から図中反時計方向に角度αだけ回動した方向を指向しているので、アンテナ用グロメット１５によってアンテナ２は、建物の壁から離間するように傾斜した状態で保持される。
【００２１】
このように、１種類のアンテナ用グロメット１５によって、アンテナ１２の指向方向を選択することができるため、従来のように２種類のグロメットを必要とした場合と比較して製造コストが低減する。
【図面の簡単な説明】
【００２２】
【図１】本発明に係るアンテナ用グロメットが取り付けられた防水用ハウジングの断面図である。
【図２】本発明に係るアンテナ用グロメットが取り付けられた防水用ハウジングの外観を示す斜視図である。
【図３】本発明に係るアンテナ用グロメットを底面側から見た斜視図である。
【図４】本発明に係るアンテナ用グロメットを示し、同図（Ａ）は背面図、同図（Ｂ）は平面図、同図（Ｃ）は側面図、同図（Ｄ）は底面図、同図（Ｅ）は正面図である。
【図５】図４（Ｄ）におけるV-V 線断面図である。
【符号の説明】
【００２３】
１…通信機器、２…アンテナ、２ａ…枢軸、３…防水用ハウジング、４…基台、５…カバー、６…背面板、７…上面板、１０…傾斜部、１２…取付孔、１５…アンテナ用グロメット、１６…環状溝、１７…第１の鍔、１８…第２の鍔、２１…挿通孔、２２…アンテナ密着部、２２ａ…開口部。
【図１】
0004655852.tif 000002
【図２】
0004655852.tif 000003
【図３】
0004655852.tif 000004
【図４】
0004655852.tif 000005
【図５】
0004655852.tif 000006